(57)【要約】【課題】  攪拌方向に関わらず通気ノズルの詰まりを防止して分解発酵処理の安定性を維持することのできる有機廃棄物処理装置を提供する。【解決手段】  攪拌駆動部３１によって正逆両方向に回転する回転軸７の外周に水平方向に中空パイプ１４が取り付けられており、中空パイプ１４は発酵分解室４の内径に略等しい長さに形成されて回転軸７に固定されるとともに、送風機４０からの空気が回転軸７の内部を介して中空パイプ１４の内部に流入し、中空パイプ１４の下面に突設した複数の通気ノズル１５から発酵分解室４の底面付近にある有機廃棄物１、処理材３に対して分解に必要な空気を供給している。各通気ノズル１５は中空パイプ１４から鉛直下方へ突設されており、通気ノズル１５の周囲には略菱型形状のノズルカバー１７ａが突設され、ノズルカバー１７ａは、その下端が通気ノズル１５の下端より突出するように形成されている。【選択図】図１
2005144273.tif 000002
【特許請求の範囲】
【請求項１】
微生物が生息した処理材を有し、処理材と有機廃棄物とを共に攪拌して有機廃棄物の発酵分解処理を行う発酵分解室と、有機廃棄物を貯蔵する有機廃棄物貯蔵室と、有機廃棄物貯蔵室の下部から発酵分解室の下部に有機廃棄物を供給する搬送手段と、発酵分解室内にて上下方向を軸方向とした中空の回転軸に攪拌羽根を設けて処理材と有機廃棄物とを攪拌する攪拌手段と、回転軸を回転させる回転駆動手段と、回転軸の下部から回転径方向に突出して回転軸内に連通した中空パイプと、中空パイプ内に連通して発酵分解室の下方に空気を送出するための通気ノズルと、回転軸内に空気を供給し中空パイプを介して通気ノズルから空気を送出する送風手段と、通気ノズルの先端より先方にまで突出したノズルカバーとを備えることを特徴とする有機廃棄物処理装置。
【請求項２】
通気ノズルを中空パイプから鉛直下方へ突設し、ノズルカバーは通気ノズルを囲む形状であることを特徴とする請求項１記載の有機廃棄物処理装置。
【請求項３】
回転駆動手段は回転軸を正逆両方向に回転させ、通気ノズルを中空パイプから鉛直下方へ突設し、ノズルカバーは１つの通気ノズルに対して中空パイプの回転方向に通気ノズルを挟んで複数配設したことを特徴とする請求項１記載の有機廃棄物処理装置。
【請求項４】
ノズルカバーは、回転方向に対して鋭角をなす形状であることを特徴とする請求項２または３記載の有機廃棄物処理装置。
【請求項５】
微生物が生息した処理材を有し、処理材と有機廃棄物とを共に攪拌して有機廃棄物の発酵分解処理を行う発酵分解室と、有機廃棄物を貯蔵する有機廃棄物貯蔵室と、有機廃棄物貯蔵室の下部から発酵分解室の下部に有機廃棄物を供給する搬送手段と、発酵分解室内にて上下方向を軸方向とした中空の回転軸に攪拌羽根を設けて処理材と有機廃棄物とを攪拌する攪拌手段と、回転軸を回転させる回転駆動手段と、回転軸の下部から回転径方向に突出して回転軸内に連通した中空パイプと、中空パイプ内に連通して発酵分解室の下部に空気を送出するために中空パイプの軸方向に対して平行に設けられた通気ノズルと、回転軸内に空気を供給し中空パイプを介して通気ノズルから空気を送出する送風手段と、通気ノズルの先端を囲む形状に形成したノズルカバーとを備えることを特徴とする有機廃棄物処理装置。
【請求項６】
複数の通気ノズルが、中空パイプの同一の回転半径上且つ中空パイプの中心軸に対して垂直方向に互いに所定角度離れた位置に並設されることを特徴とする請求項５記載の有機廃棄物処理装置。
【請求項７】
中空パイプの軸方向に沿って複数の通気ノズルを備え、各通気ノズルは、中空パイプの他の通気ノズルとは異なる回転半径上に配設されることを特徴とする請求項１または５記載の有機廃棄物処理装置。
【請求項８】
回転軸の法線に対して複数の角度を有する外郭形状に形成されて回転軸から回転径方向に突設された排出羽根を備え、排出羽根は、発酵分解室内で発酵分解処理を施した後の内容物を回転径の外側方向へ移動させて外部へ排出することを特徴とする請求項１乃至７いずれか記載の有機廃棄物処理装置。
【請求項９】
排出羽根は複数のプレートを用いてその外郭を形成され、各プレートの側面は上下方向に対して所定角度を有することを特徴とする請求項８記載の有機廃棄物処理装置。
【発明の詳細な説明】
【技術分野】
【０００１】
本発明は、微生物を利用して有機廃棄物の分解処理を行う有機廃棄物処理装置に関するものである。
【背景技術】
【０００２】
従来から微生物を利用して有機廃棄物を発酵させて分解処理する有機廃棄物処理装置が知られている。この有機廃棄物処理装置は発酵分解室内にバイオチップと称する木質細片等の担体を有機廃棄物処理材（以降、処理材と称す）として充填してある。そして、有機廃棄物を発酵分解室内に投入し、攪拌手段によって攪拌しながら処理材に生息する微生物の働きで有機廃棄物を発酵させて分解処理して、発酵分解室内で分解処理が完了した処理物は発酵分解室外へ排出されることとなる。微生物による有機廃棄物の分解反応は、温度、酸素、水分等の要因に大きく影響され、これらの要因のどれか１つでも適性範囲外であると分解処理は進まない。そのため、処理材の攪拌、加熱、通風手段等を設けて、発酵分解室内の環境を分解に好適な条件に維持しようとしている。例えば、微生物の活性を左右する温度、酸素、水分等の要因を制御するため、空気（酸素）を発酵分解室内に送出するための通気ノズルを発酵分解室下部に備えているものがある。（例えば、特許文献１参照）。このように通気ノズルを発酵分解室下部に備えているものは、通気ノズルが攪拌時に処理材や有機廃棄物等で詰まることがないように、攪拌によって処理材や有機廃棄物等が流れてくる方向とは反対方向に通気ノズルの吹出し口を設けていた。
【特許文献１】特開平１０−１３００８２号公報（段落番号［００２２］〜［００３５］、図１）
【発明の開示】
【発明が解決しようとする課題】
【０００３】
上記のように攪拌によって処理材や有機廃棄物等が流れてくる方向とは反対方向に通気ノズルの吹出し口を設けた場合、正逆いずれか一つの攪拌方向に対しては効果的であるが、攪拌方向を正逆両方向とした装置では、処理材や有機廃棄物等が流れてくる方向が通気ノズルの吹出し口と同方向になるときがあり、通気ノズルの詰まりが起きていた。そして通気ノズルが詰まると、分解のための環境が悪化して分解効率が低下してしまうという問題が発生していた。
【０００４】
本発明は、上記事由に鑑みてなされたものであり、その目的は、攪拌方向に関わらず通気ノズルの詰まりを防止して分解発酵処理の安定性を維持することのできる有機廃棄物処理装置を提供することにある。
【課題を解決するための手段】
【０００５】
請求項１の発明は、微生物が生息した処理材を有し、処理材と有機廃棄物とを共に攪拌して有機廃棄物の発酵分解処理を行う発酵分解室と、有機廃棄物を貯蔵する有機廃棄物貯蔵室と、有機廃棄物貯蔵室の下部から発酵分解室の下部に有機廃棄物を供給する搬送手段と、発酵分解室内にて上下方向を軸方向とした中空の回転軸に攪拌羽根を設けて処理材と有機廃棄物とを攪拌する攪拌手段と、回転軸を回転させる回転駆動手段と、回転軸の下部から回転径方向に突出して回転軸内に連通した中空パイプと、中空パイプ内に連通して発酵分解室の下方に空気を送出するための通気ノズルと、回転軸内に空気を供給し中空パイプを介して通気ノズルから空気を送出する送風手段と、通気ノズルの先端より先方にまで突出したノズルカバーとを備えることを特徴とする。
【０００６】
この発明によれば、攪拌時には通気ノズルの吹出し口周辺に有機廃棄物、処理材等が存在しない空間を攪拌方向に関わらず確保できて通気ノズルが詰まることなく、分解発酵処理の安定性を維持できる。さらに、送風手段のランニングコスト低減も図ることができる。
【０００７】
請求項２の発明は、請求項１において、通気ノズルを中空パイプから鉛直下方へ突設し、ノズルカバーは通気ノズルを囲む形状であることを特徴とする。
【０００８】
この発明によれば、ノズルカバーの強度アップを安価に実現できる。
【０００９】
請求項３の発明は、請求項１において、回転駆動手段は回転軸を正逆両方向に回転させ、通気ノズルを中空パイプから鉛直下方へ突設し、ノズルカバーは１つの通気ノズルに対して中空パイプの回転方向に通気ノズルを挟んで複数配設したことを特徴とする。
【００１０】
この発明によれば、有機廃棄物の繊維質やフォーク、ナイフ等の金属異物が攪拌手段へ絡み付くことを防止し、且つ攪拌手段のランニングコスト低減を図ることができる。さらには、ノズルカバーの強度アップを安価に実現できるとともに、攪拌時の低抵抗化を図って攪拌手段のさらなるランニングコスト低減を実現できる。
【００１１】
請求項４の発明は、請求項２または３において、ノズルカバーは、回転方向に対して鋭角をなす形状であることを特徴とする。
【００１２】
この発明によれば、攪拌時のさらなる低抵抗化を図るとともに、ノズルカバーによる内容物の移動を最小限に抑制でき、攪拌手段のさらなるランニングコスト低減を実現できる。
【００１３】
請求項５の発明は、微生物が生息した処理材を有し、処理材と有機廃棄物とを共に攪拌して有機廃棄物の発酵分解処理を行う発酵分解室と、有機廃棄物を貯蔵する有機廃棄物貯蔵室と、有機廃棄物貯蔵室の下部から発酵分解室の下部に有機廃棄物を供給する搬送手段と、発酵分解室内にて上下方向を軸方向とした中空の回転軸に攪拌羽根を設けて処理材と有機廃棄物とを攪拌する攪拌手段と、回転軸を回転させる回転駆動手段と、回転軸の下部から回転径方向に突出して回転軸内に連通した中空パイプと、中空パイプ内に連通して発酵分解室の下部に空気を送出するために中空パイプの軸方向に対して平行に設けられた通気ノズルと、回転軸内に空気を供給し中空パイプを介して通気ノズルから空気を送出する送風手段と、通気ノズルの先端を囲む形状に形成したノズルカバーとを備えることを特徴とする。
【００１４】
この発明によれば、攪拌時には通気ノズルの吹出し口周辺に有機廃棄物、処理材等が存在しない空間を攪拌方向に関わらず確保できて通気ノズルが詰まることなく、分解発酵処理の安定性を維持できる。さらに、送風手段のランニングコスト低減も図ることができる。また、ノズルカバーによって搬送手段からの圧力を遮断できる。さらに、通気ノズルの上下方向の長さを短くでき、強度アップを図ることができる。
【００１５】
請求項６の発明は、請求項５において、複数の通気ノズルが、中空パイプの同一の回転半径上且つ中空パイプの中心軸に対して垂直方向に互いに所定角度離れた位置に並設されることを特徴とする。
【００１６】
この発明によれば、中空パイプを通気ノズルへ連通させる連結孔の総断面積を大きくしているので、送風手段からの通気損失を抑制でき、送風手段の低負荷化を図って、ランニングコストを低減できる。
【００１７】
請求項７の発明は、請求項１または５において、中空パイプの軸方向に沿って複数の通気ノズルを備え、各通気ノズルは、中空パイプの他の通気ノズルとは異なる回転半径上に配設されることを特徴とする。
【００１８】
この発明によれば、発酵分解室内において、中空パイプの通過範囲内への通気を均一に行うことができる。
【００１９】
請求項８の発明は、請求項１乃至７いずれかにおいて、回転軸の法線に対して複数の角度を有する外郭形状に形成されて回転軸から回転径方向に突設された排出羽根を備え、排出羽根は、発酵分解室内で発酵分解処理を施した後の内容物を回転径の外側方向へ移動させて外部へ排出することを特徴とする。
【００２０】
この発明によれば、増量した処理材等をスムーズに発酵分解室外へ排出することができ、攪拌トルクの低減、及び分解発酵処理の安定性の向上を図ることができる。
【００２１】
請求項９の発明は、請求項８において、排出羽根は複数のプレートを用いてその外郭を形成され、各プレートの側面は上下方向に対して所定角度を有することを特徴とする。
【００２２】
この発明によれば、攪拌方向に対して後方のプレートによって処理物を掻き集めてスムーズに排出することができ、分解発酵処理の安定性のさらなる向上を図ることができる。このとき、上方になるほど各プレートの各側面が互いに近付くように鉛直方向（上下方向）に対する角度を設定すれば、回転時の抵抗が減少し、攪拌トルクを低減させることができる。なお、該角度を大きくするにしたがって回転時の抵抗が減少するが、大きすぎると処理物を排出する力が低減する傾向がある。
【発明の効果】
【００２３】
以上説明したように、本発明では、攪拌方向に関わらず攪拌羽根への絡み付きを防止し、且つ分解発酵処理の安定性を維持することができるという効果がある。
【発明を実施するための最良の形態】
【００２４】
以下、本発明の実施の形態を図面に基づいて説明する。
【００２５】
（実施形態１）
図１は本実施形態の有機廃棄物処理装置の概略構成を示すものであり、有機廃棄物１（生ごみ、チップ等）を貯蔵する有機廃棄物貯蔵室２と、微生物を生息させたコンポスト等の有機廃棄物処理材３（以降、処理材３と称す）を収容する発酵分解室４とを具備しており、有機廃棄物貯蔵室２の側面下部と発酵分解室４の側面下部との間は供給筒８で接続されている。
【００２６】
有機廃棄物貯蔵室２は大量の有機廃棄物１を貯蔵できるように大きなホッパを備えており、その上面に形成した開口には有機廃棄物投入蓋（図示無し）が覆設され、さらに有機廃棄物投入蓋の開閉を検知する投入蓋開閉検知手段（図示無し）が設けられている。有機廃棄物貯蔵室２内の下部には有機廃棄物１及び処理材３を搬送するスクリュ５が供給筒８に貫入して設けてある。
【００２７】
スクリュ５は水平方向に配置される回転軸５ａの外周に螺旋状のスクリュ羽根５ｂを設け、回転軸５ａを回転させてスクリュ５を駆動することによって、スクリュ羽根５ｂによる搬送作用で有機廃棄物貯蔵室２内の有機廃棄物１を回転軸５ａに沿って搬送し、有機廃棄物１が供給筒８を介して発酵分解室４に供給される。
【００２８】
また有機廃棄物貯蔵室２内にはこのスクリュ５の上方に有機廃棄物破砕装置６が設けてあり、有機廃棄物破砕装置６は水平方向に配置される回転軸６ａの外周に有機廃棄物破砕用のパドル羽根６ｂを突設して形成される。そして、回転軸６ａが回転することによって、パドル羽根６ｂが有機廃棄物貯蔵室２内の有機廃棄物１を破砕するもので、さらにはスクリュ５上で、例えばキャベツ等の丸い野菜等の大型の有機廃棄物１が空回転して破砕されない状態を予防する。
【００２９】
上記スクリュ５及び有機廃棄物破砕装置６はモータ等の投入機駆動部３０によりチェーン２０を介して各々の回転軸５ａ，６ａが回転することによって駆動される。
【００３０】
発酵分解室４は有底の円筒形状に形成され、発酵分解室４内では、回転軸７の外周に水平方向に複数の攪拌羽根１０が取り付けられ、モータ、スプロケット、チェーン等で構成される攪拌駆動部３１によって回転軸７を回転させることによって、攪拌羽根１０が有機廃棄物１と処理材３とを混合しながら攪拌空間４ｂ内の底部から上部へと持ち上げる。ここで各攪拌羽根１０は有機廃棄物１と処理材３とを混合するが、混合された有機廃棄物１と処理材３とを下部から上部へ移動させる機能（形状）は少なくとも１つの攪拌羽根１０が有しておればよい。
【００３１】
ここで、有機廃棄物１には繊維質が含まれており、これらは炭水化物や蛋白質等の他の成分に比べて分解速度が遅く、攪拌方向が正逆いずれかの一方向であると攪拌羽根１０に絡み付き、発酵分解室４内に長時間滞留することになる。また有機廃棄物１以外にフォーク、ナイフ等の金属異物も発酵分解室４内に混入する可能性があり、これらも上記同様に絡み付くことになる。そうすると、有機廃棄物１と処理材３との混合攪拌性が悪化するだけでなく、攪拌時の抵抗が増大し、攪拌トルクが増大してしまう。その結果、攪拌のランニングコストの上昇を招き、最終的には攪拌停止を引き起こすことも有り得る。攪拌停止が発生すると、処理材３を全量取り出して、絡み付きを取り除かなければならなかった。そこで本実施形態では、攪拌羽根１０の回転方向を正逆両方向とすることで攪拌羽根１０への絡み付きの防止を図っている。なお、投入機駆動部３０及び攪拌駆動部３１は図示しない制御部によって各々の動作を制御される。
【００３２】
また回転軸７は中空に形成され、その内部にはブロア等の送風機４０からの空気（酸素）が上端から供給される。発酵分解室４の底面付近では図２（ａ），（ｂ）にその通気部の具体構成を示すように、回転軸７の外周に水平方向に中空パイプ１４が取り付けられており、中空パイプ１４は発酵分解室４の内径に略等しい長さに形成されて回転軸７に固定されるとともに回転軸７の内部に連通して、送風機４０からの空気が回転軸７の内部を介してその内部に流入し、中空パイプ１４の下面に突設し且つ中空パイプ１４内に連通した複数の通気ノズル１５から発酵分解室４の底面付近にある有機廃棄物１、処理材３に対して分解に必要な空気を供給している。複数の通気ノズル１５は中空パイプ１４の軸方向に沿って設けられ、各通気ノズル１５の吹出し口は、他の通気ノズル１５とは異なる回転半径上に配設されている。すなわち、各通気ノズル１５の間隔はＸ１＝１００ｍｍであり、回転軸７とその両側の通気ノズル１５との間隔を、一方がＸ２＝１５０ｍｍ、他方がＸ３＝１００ｍｍとすることで、回転軸７に対して一方側の通気ノズル１５と他方側の通気ノズル１５とはその回転半径が互いに異なり、各通気ノズル１５の回転軌跡は、互いに半径の異なる同心円上を通過することになる。そして回転軸７が回転することで、中空パイプ１４が通過する円状範囲内の有機廃棄物１と処理材３に対して空気を均一に供給している。また中空パイプ１４の上方及び側方は略矩形の板状の攪拌補強プレート１６で覆われており、回転時の攪拌性能を確保している。
【００３３】
各通気ノズル１５は図３に示すように中空パイプ１４から鉛直下方へ突設されている。そして、通気ノズル１５の周囲には略菱型形状のノズルカバー１７ａが攪拌補強プレート１６の下面に突設され、ノズルカバー１７ａは、その下端が通気ノズル１５の下端より長さＹだけ突出するように形成されている。したがって、攪拌時には通気ノズル１５の吹出し口周辺に有機廃棄物１、処理材３が存在しない空間を確保しており、通気ノズル１５が詰まることなく正逆両方向の攪拌を行うことができ、分解発酵処理の安定性を維持している。また、通気ノズル１５が詰まることによる送風機４０の運転効率の低下も防止しており、送風機４０のランニングコストを低減させている。
【００３４】
またノズルカバー１７ａは通気ノズル１５の周囲を取り囲む略菱形形状とすることで十分な強度を安価に確保し、さらに、菱形形状の鋭角部が攪拌回転方向を向くように攪拌補強プレート１６の下面にネジ等で固定して、攪拌時の低抵抗化を図るとともに、ノズルカバー１７ａによる有機廃棄物１、処理材３の移動を最小限に抑えて、攪拌駆動部３１のランニングコストを低減させている。なお、ノズルカバー１７ａは溶接によって攪拌補強プレート１６の下面に固定してもよい。
【００３５】
そして、発酵分解室４の上方には、回転軸７の外周に水平方向に排出羽根１２が取り付けられており、発酵分解室４内の処理物が増加すると、排出羽根１２が回転することで、処理物が排出口４ｃから外部へ排出される。この排出羽根１２は図４（ａ）〜（ｃ）に示すように複数の矩形のプレートによって構成されるもので、回転軸７の周囲を囲む２枚のプレート１２ａ，２枚のプレート１２ｂ，２枚のプレート１２ｃが複数の連結バー１２ｄを介して回転軸７に固定されている。プレート１２ａは各一端が互いに接続し、各他端側が互いに離れるように配置され、プレート１２ｂは各一端をプレート１２ａの各他端に接続して互いに平行に配置され、プレート１２ｃは各一端をプレート１２ｂの各他端に接続し、各他端を互いに接続している。すなわち排出羽根１２は略六角形に形成され、プレート１２ａの各他端（プレート１２ｂの各一端）が回転軸７の中心に対して互いに点対称に位置して正逆両方向の回転に対応しており、プレート１２ａ，１２ｂ，１２ｃで構成される側面は排出羽根１２の両端を通る回転軸７の法線Ｈに対して複数の角度を有している。
【００３６】
このように構成される排出羽根１２の全長Ｘ１０は発酵分解室４の内半径に略等しくなり、プレート１２ａ，１２ｂ，１２ｃの各回転径方向の長さＸ１１，Ｘ１２，Ｘ１３とすると、Ｘ１０＝Ｘ１１＋Ｘ１２＋Ｘ１３、且つＸ１１＞Ｘ１２を満足する。つまり、プレート１２ａは半径Ｘ１１内領域の処理物を回転径の外側方向に移動させ、プレート１２ｃはプレート１２ａによって移動した処理物を排出口４ｃから外部へスムーズに排出させるものである。
【００３７】
また、プレート１２ａ，１２ｂ，１２ｃは、上方になるほど各側面が互いに近付くように、鉛直方向（上下方向）に対して角度θ１＝１０°（図４（ｃ）参照）に設定して配置されている。ここで、角度θ１を大きくすると回転時の抵抗が減少するが、大きすぎると処理物を排出する力が低減する傾向があるので、本実施形態では角度θ１＝１０°に設定している。このような排出ばね１２を回転させることで、攪拌方向に対して後方のプレートによって処理物を掻き集めてスムーズに排出して分解発酵処理の安定性の向上を図るとともに、攪拌トルクを低減させている。なお角度θ１は他の角度に設定してもよく、排出羽根１２の形状も六角形に限定されるものではない。また、上方になるほどプレート１２ａ，１２ｂ，１２ｃの各側面が互いに離れるように構成すると、回転時の抵抗が増加し、排出力は低下するので、上記のような効果を得ることはできない。
【００３８】
そして、有機廃棄物貯蔵室２内に有機廃棄物１を貯蔵している間に、有機廃棄物１自体の臭いや腐敗による腐敗臭が問題になることがある。このようなとき、図１に示すように有機廃棄物貯蔵室２と発酵分解室４との各側面の上端付近を配管７０で接続し、発酵分解室４の配管７０を接続した側面に対向する面の上端付近から脱臭器５０を介してファン６０に接続しており、発酵分解室４内の空気を脱臭して外部に排出している。このとき、ファン６０が発酵分解室４内の空気を吸い込むことによって、発酵分解室４内の上部は数十Ｐａの負圧になっているので、有機廃棄物貯蔵室２内の臭いや腐敗臭を含んだ空気は配管７０を介して発酵分解室４内に吸い込まれ、脱臭器５０で脱臭された後、ファン６０を介して外部に排出される。
【００３９】
（実施形態２）
本実施形態は図５（ａ），（ｂ）、図６に示すように、中空パイプ１４から鉛直下方へ突設された各通気ノズル１５の回転方向両側に実施形態１より小型の略菱型形状のノズルカバー１７ｂが攪拌補強プレート１６の下面に各々突設され、ノズルカバー１７ｂは、その下端が通気ノズル１５の下端より長さＹだけ突出するように形成されている。したがって、攪拌時には通気ノズル１５の吹出し口周辺に有機廃棄物１、処理材３が存在しない空間を確保しており、通気ノズル１５が詰まることなく正逆両方向の攪拌を行うことができ、分解発酵処理の安定性を維持している。また、通気ノズル１５が詰まることによる送風機４０の運転効率の低下も防止しており、送風機４０のランニングコストを低減させている。
【００４０】
またノズルカバー１７ｂは通気ノズル１５の回転方向両側に突設した略菱形形状とすることで十分な強度を安価に確保し、さらに、菱形形状の鋭角部が攪拌回転方向を向くように攪拌補強プレート１６の下面にネジ等で固定し且つ小型化することで実施形態１よりも攪拌時の抵抗を低減させるとともに、ノズルカバー１７ｂによる有機廃棄物１、処理材３の移動を最小限に抑えて、攪拌駆動部３１のランニングコストを低減させている。なお、ノズルカバー１７ｂは溶接によって攪拌補強プレート１６の下面に固定してもよい。
【００４１】
なお、他の構成は実施形態１と同様であり、同様の構成には同一の符号を付して説明は省略する。
【００４２】
（実施形態３）
本実施形態は図７（ａ），（ｂ）、図８に示すように、吹出し口を回転径の外側方向に向けて中空パイプ１４の外面に水平方向に形成された（中空パイプ１４の軸方向に対して平行に形成された）一対の通気ノズル１５，１５が、中空パイプ１４の同一の回転半径上に並設され、一対の通気ノズル１５，１５は、中空パイプ１４の中心軸に対して垂直方向の角度をθ２とすると、鉛直下方を中心とする角度θ２＝７０°間隔で配置されている。この一対の通気ノズル１５，１５は中空パイプ１４の軸方向に沿って複数設けられ、各１対の通気ノズル１５，１５の吹出し口は、他の一対の通気ノズル１５，１５とは異なる回転半径上に配設されている。そして、一対の通気ノズル１５，１５の吹出し口に対向して取り囲むように略半円形状のノズルカバー１７ｃが攪拌補強プレート１６の下面に各々突設されている。したがって、攪拌時には通気ノズル１５の吹出し口周辺に有機廃棄物１、処理材３が存在しない空間を確保しており、通気ノズル１５が詰まることなく正逆両方向の攪拌を行うことができ、分解発酵処理の安定性を維持している。また、通気ノズル１５が詰まることによる送風機４０の運転効率の低下も防止しており、送風機４０のランニングコストを低減させている。さらに、ノズルカバー１７ｃはスクリュ５が回転することによって発生する圧力を遮断する機能も有しており、攪拌及び通気への影響を低減させている。なお、ノズルカバー１７ｃは溶接によって攪拌補強プレート１６の下面に固定しているが、実施形態１，２と同様にネジ等で固定して取り外し可能な構造としてもよい。
【００４３】
また通気ノズル１５は中空パイプ１４の軸方向に対して平行に形成されているので、上下方向の長さを短くでき、強度アップを図ることができる。さらに、中空パイプ１４の同一の回転半径上に一対の通気ノズル１５，１５を設けることで、中空パイプ１４を通気ノズルへ連通させる連結孔の総断面積を１個の通気ノズル１５の場合より大きくしているので、送風機４０からの通気損失を抑制でき、送風機４０の低負荷化を図って、ランニングコストを低減させている。
【００４４】
なお、ノズルカバー１７ｃは略半円形状のものに限定されるものではなく、通気ノズル１５の吹出し口を保護できる構造であればよく、他の構成は実施形態１と同様であり、同様の構成には同一の符号を付して説明は省略する。
【図面の簡単な説明】
【００４５】
【図１】本発明の実施形態１の有機廃棄物処理装置の構成を示す図である。
【図２】同上の通気部の構成を示し、（ａ）は上面図、（ｂ）は正面図である。
【図３】図２のＡ１−Ａ１断面を示す図である。
【図４】同上の排出羽根の構成を示し、（ａ）は上面図、（ｂ）は正面図、（ｃ）は側面図である。
【図５】本発明の実施形態２の通気部の構成を示し、（ａ）は上面図、（ｂ）は正面図である。
【図６】図５のＡ２−Ａ２断面を示す図である。
【図７】本発明の実施形態３の通気部の構成を示し、（ａ）は上面図、（ｂ）は正面図である。
【図８】図７のＡ３−Ａ３断面を示す図である。
【符号の説明】
【００４６】
１  有機廃棄物
２  有機廃棄物貯蔵室
３  有機廃棄物処理材
４  発酵分解室
５  スクリュ
７  回転軸
１０  攪拌羽根
１２  排出羽根
１４  中空パイプ
１５  通気ノズル
１７ａ  ノズルカバー
３１  攪拌駆動部
【図１】
2005144273.tif 000003
【図２】
2005144273.tif 000004
【図３】
2005144273.tif 000005
【図４】
2005144273.tif 000006
【図５】
2005144273.tif 000007
【図６】
2005144273.tif 000008
【図７】
2005144273.tif 000009
【図８】
2005144273.tif 000010